(57)【要約】      （修正有）【課題】電源が不要なエコで手軽な携帯情報端末の音改良器を提供する。【解決手段】開口部を有する中空半球形状であり且つ開口部に音を発する携帯情報端末を取り付ける固定部となる立て掛け部１１及び内台１２を有する本体１と、本体１の底部に設けられ開口部が略正面に向くように本体１を支持する台座２と、を有する。【選択図】図１
0003189889.tif 000002
【実用新案登録請求の範囲】
【請求項１】
開口部を有する中空半球形状であり且つ前記開口部に音を発する携帯情報端末を取り付ける固定部を有する本体と、
本体の底部に設けられ前記開口部が略正面に向くように前記本体を支持する台座と、
を有することを特徴とする携帯情報端末の音改良器。
【請求項２】
開口部を有する中空半球形状であり且つ前記開口部に音を発する携帯情報端末を取り付ける固定部を有する本体と、
本体の底部に設けられ前記開口部が床面に対して上方に０度から４５度までの角度を持つように前記本体を支持する台座と、
を有することを特徴とする携帯情報端末の音改良器。
【請求項３】
前記本体は陶磁製であることを特徴とした請求項１または請求項２に記載の携帯情報端末の音改良器。
【請求項４】
前記固定部は、前記開口部の上方の縁を略長方形状に切り取って凹部を形成した携帯情報端末立て掛け部と、前記本体の内側底部に設けられ、上面が平らで携帯情報端末を置くことができる内台と、からなることを特徴とした請求項１から請求項３いずれか１つに記載の携帯情報端末の音改良器。
【考案の詳細な説明】
【技術分野】
【０００１】
この考案は、近くに電源のない場所でも、電池や充電池がなくても使用することができる、エコで手軽な、携帯情報端末の音改良器に関する。
【背景技術】
【０００２】
スマートフォン等の携帯情報端末は、近年、様々な機能を持つようになり、通話機能以外にも、動画を撮影して再生したり、音楽をダウンロードして聴いたり、ネットに配信された動画を再生して視聴したりすることができる。しかし、携帯情報端末は、軽量小型化を優先しているため、再生された音声は、音量が小さく、音質も良くない。そこで、携帯情報端末に接続して音量を大きくしたり、音質を改良したりするスピーカー機器が各種販売されている。それらは、携帯情報端末と有線又は無線で接続し、音声を拡大及び改良するものであり、それらスピーカーは電気の供給を受けて機能する電気機器である。
【先行技術文献】
【特許文献】
【０００３】
【特許文献１】特開２００４−９６２８９号公報
【考案の概要】
【考案が解決しようとする課題】
【０００４】
しかしながら、市販のスピーカー類や、特許文献１の携帯電話機用音拡大携帯ホルダーは、作動させるために電気が必要であり、電気代がかかること、また、電池や充電池が消耗すると使えなくなるという問題があった。
【０００５】
そこで、この考案の目的は、近くに電源のない場所でも、電池や充電池がなくても使用することができ、エコで、手軽な携帯情報端末の音改良器を提供することにある。
【課題を解決するための手段】
【０００６】
この考案の携帯情報端末の音改良器は、開口部を有する中空半球形状であり且つ前記開口部に音を発する携帯情報端末を取り付ける固定部を有する本体と、本体の底部に設けられ前記開口部が略正面に向くように前記本体を支持する台座と、を有することを特徴とする。
【０００７】
この考案によれば、携帯情報端末のスピーカーから発生する再生音を、中空半球形状、換言すれば、椀形状の本体内側の壁面に反響して増幅させ、深みのある綺麗な音質とすることができる。本体内側の面は、凹凸がなく滑らかな面となっているため、スピーカーから発生した音が効率よく反響する。また、本体内側の面は、ドーム形状となっているため、均一でバランスの良い反響効果を生ずることができる。さらに、中空半球形状の開口部が、略正面に向けられているため、反響によって、増幅し、深みを増した再生音が、正面方向に広がり、視聴者に届きやすい。ここで、略正面とは、床に対して上方または下方に０度から４５度くらいまでの角度を指す。加えて、携帯情報端末の画面を前方に向けた状態で保持できるため、携帯情報端末を手で支えることなく、片手で画面操作を行うことができて便利である。
【０００８】
また、この考案の携帯情報端末の音改良器は、開口部を有する中空半球形状であり且つ前記開口部に音を発する携帯情報端末を取り付ける固定部を有する本体と、本体の底部に設けられ前記開口部が床面に対して上方に０度から４５度までの角度を持つように前記本体を支持する台座と、を有することを特徴とする。
【０００９】
この考案によれば、携帯情報端末のスピーカーから発生する再生音を、中空半球形状、換言すれば、椀形状の本体内側の壁面に反響して増幅させ、深みのある綺麗な音質とすることができる。本体内側の面は、凹凸がなく滑らかな面となっているため、スピーカーから発生した音が効率よく反響する。また、開口部が正面より少し上方に向けて固定されていることで、反響によって、増幅し、深みを増した再生音が、正面から上方に向かって広がるので、携帯情報端末の音改良器を床に置いて使用する場合等、視聴者より下に置いて使用する場合に、音が、視聴者に届きやすい。さらに、また、携帯情報端末の画面を前方から少し上に向けた状態で保持できるため、携帯情報端末の操作がしやすい。
【００１０】
また、この考案の携帯情報端末の音改良器の前記本体は陶磁製であることを特徴とする。
【００１１】
この考案によれば、陶磁製の壁面が携帯情報端末からの再生音を効率良く反響させ、音を増幅して深みを与えるので、綺麗な再生音を楽しむことができる。
【００１２】
また、この考案の携帯情報端末の音改良器の前記本体の前記固定部は、前記開口部の上方の縁を略長方形状に切り取って凹部を形成した携帯情報端末立て掛け部と、前記本体の内側底部に設けられ、上面が平らで携帯情報端末を置くことができる内台と、からなることを特徴とする。
【００１３】
この考案によれば、略長方形状に切り取った凹部に携帯情報端末の裏面があたるように立て掛け、内台に携帯情報端末の底部があたるように載置すれば、携帯情報端末を本体内に固定することができ、携帯情報端末の裏面や底にあるスピーカーから発生する音を、本体内側の壁面に効率よく反射し増幅することができる。そのため、携帯情報端末から発生する再生音を、深みのある綺麗な音にすることができる。また、携帯情報端末の画面を前方に向けた状態で保持できるため、携帯情報端末を手で支えることなく、片手で画面操作を行うことができて便利である。
【００１４】
また、この考案の携帯情報端末の音改良器の前記本体は陶磁製であることを特徴とする。
【００１５】
この構成によると、本体を、均質性の音声の反響性が高い陶磁製にすることによって、携帯情報端末から発生された音声が本体内で反響し、増幅し、音声に深みが増すため、綺麗な音声を得ることができる。また、陶磁製の本体は、吸音性が低く、吸水性がなく、表面がガラス化して硬いため、携帯情報端末から発生する音が、反響しやすい。さらに、陶磁製で成型されているので、ぬくもりのある、お洒落な外観を有し、インテリアに最適である。
【図面の簡単な説明】
【００１６】
【図１】この考案の実施の形態にかかる携帯情報端末の音改良器を示す斜視図である。
【図２】図１に示した携帯情報端末の音改良器の上面図である。
【図３】図１に示した携帯情報端末の音改良器を斜め後ろから見た図である。
【図４】図１に示した携帯情報端末の音改良器の背面図である。
【図５】図１に示した携帯情報端末の音改良器の底面図である。
【図６】図１に示した携帯情報端末の音改良器の使用状態を示す参考図である。
【考案を実施するための形態】
【００１７】
図１は、この考案の実施の形態にかかる携帯情報端末の音改良器１００を示す斜視図である。図２は、図１に示した携帯情報端末の音改良器１００の上面図であり、図３は、図１に示した携帯情報端末の音改良器１００を斜め後ろから見た図である。図４は、図１に示した携帯情報端末の音改良器１００の背面図であって、図５は、図１に示した携帯情報端末の音改良器１００の底面図である。図６は、図１に示した携帯情報端末の音改良器に携帯情報端末を載置して使用している状態を示す参考図である。
【００１８】
図１に示すように、この携帯情報端末の音改良器１００は、中空の半球形状の本体１と、床面に接し、床面と対向する面で本体を固定する台座２を主に有する。本体１には立て掛け部１１と内台１２が設けられている。
【００１９】
この携帯情報端末の音改良器１００の本体１は、中空の半球形状を所定角度傾けた形状、換言すれば、お椀を縦にして開口部を略正面に向けた形状となっている。台座２は、下面が床と接している略長方形の板形状であって、上面は本体１の底面と接着している。台座２は、本体１が、床面に対して所定角度傾けた状態となるように、本実施の形態では、本体１が略正面を向いた状態となるように固定している。
【００２０】
図２に示すように、図２は本体１の開口部の上側、換言すると、お椀形状の縁にあたる部分の上側には、縁に沿って本体側面を略長方形状に切り取った立て掛け部１１が設けられている。立て掛け部１１の寸法は、スマートフォンその他の携帯情報端末を立て掛けておくのに最適な寸法となっている。立て掛け部１１の幅は、スマートフォンその他の携帯情報端末の短手方向の幅より少し大きい幅となっており、６センチから１０センチの間、望ましくは７センチから９センチの間が良い。また、立て掛け部１１の奥行きは、１センチから５センチの間、望ましくは２センチから４センチの間が良い。
【００２１】
本体１の内側下方の開口部近傍、換言すると、お椀形状の内側下方の縁近傍には、内台１２が設けられている。内台１２は、略長方体形状であって、長手方向が、開口部から奥方向に向かって伸びるように、短手方向がお椀形状の縁に沿って、設けられている。内台１２の高さは、前方（手前）と後方（奥）とで、二段階になっている。後方(奥)の高さは前方（手前）の高さよりも一段階高くなっている。これは、内台１２の前方にスマートフォンその他の携帯情報端末の底面が接するように、携帯情報端末を載置すれば、内台１２の後方（奥）が高くなっていることによって、携帯情報端末の底が奥にずれることがなく、携帯情報端末を安定して立て掛けておけるためである。
【００２２】
さらに、内台１２は、手前から奥に向かって細長い形状となっており、内台１２の横幅は狭いものとなっている。携帯情報端末のスピーカーは底面の右側と左側にあるため、内台１２の横幅が広いと、左右のスピーカーに接してしまい、スピーカーを塞いでしまって音声が小さく音質が悪くなってしまう。そのようなことが起こらないように、内台１２は横幅を狭くし、スピーカーのない底面の中央部分にのみ内台１２が接するようにしてある。左右のスピーカーから発生する音声は、内台１２に遮られることなく、本体１内に広がって、本体１の内側壁面で反響し、豊かな反響を生じさせる。
【００２３】
図３に示すように、本体１は、床に対して、すこし斜めになるように固定されている。すなわち、本体１の開口部が前方すこし斜め上に向くような角度で固定されている。本体１の開口部が前方すこし斜め上を向いていることで、携帯情報端末から発生した音声が、本体１の内側を反響し、本体１の反響によって綺麗になった音声が、前方ななめ上方に、広がっていくという効果が生じる。
【００２４】
図５に示すように、本体１の底面の略中央付近は、略長方形の板形状の台座２と接しており、台座２によって、本体１は所定角度を持つよう固定されている。台座２は、本実施形態では略長方形の板状となっており、台座２の長手方向が、前方から奥に向かうように設けられている。台座２の中央ではなく前方近傍が、本体１の底面と接着されている。
【００２５】
本体１は、お椀形状の開口部が前方斜め上を向くように傾けた角度で固定しているので、床に接する部分よりも、後方に重心が来る。そのため、台座２の後方を長めして、本体１が傾かないようバランスが取れるようにしている。
【００２６】
本実施形態２では、台座２は略長方形状としたが、台座２の形状は略長方形の板形状に限定されるものではなく、本体１が所定角度を持つように固定でき、本体１をバランスよく支えられる形状であれば、どのような形状でも良い。たとえば、台座２を正方形としても良いし、円形としても良いし、また、底にあたる部分に小さな突起を複数設けて、床に載置できるようにしても良い。
【００２７】
本体１及び台座２の素材は、陶磁製である。陶磁とは、粘土や陶土を原料として、窯で９００度から１３００度の温度で焼成されたものをいう。本実施形態１の携帯情報端末の音改良器１００は、陶磁のなかでも、１３００度という比較的高温で還元焼成された磁器を用いる。還元焼成とは、窯で焼成する際に、酸素が入り込まないような状態にして焼成する焼成方法である。還元焼成で焼き上げた磁器は、青白い発色を有する。
携帯情報端末の音改良器１００の素材については、磁器に限定されるものではなく、陶器も用いることができる。
【００２８】
このようにして、１３００度の高温で還元焼成された磁器は、吸水性が殆どなく、硬く焼き上げられており、音をよく反響させる効果を奏する。さらに、青白い綺麗な発色を有するので、インテリアにも最適な携帯情報端末の音改良器１００を提供することができる。
【００２９】
また、携帯情報端末の音改良器１００の本体１の表面には釉薬を塗布してから焼成する。釉薬を塗布して焼成すると、本体１の表面がガラス化した状態で焼きあがる。ガラス化した表面は、滑らかで凹凸がない。本体１の内側の面に凹凸があると、凹部分で固有の共鳴が生じ、それが携帯情報端末からの再生音にまとわりついて、音の明瞭度を低下させ、音質を低下させてしまうが、本体１の表面は、凹凸がなく滑らかなため、音を、濁らせず、明瞭に響かせることができる。
【００３０】
さらに、本体１は、陶磁製の中空半球形状であり、当該中空半球形状の内側のドーム内に、携帯情報端末Ｓを設置する構成となっている。本体１を、凹凸のない滑らかな内面を持つ陶磁製の中空半球形状とすることは、携帯情報端末Ｓからの発生する再生音を、均一にバランスよく反響させ、音質を向上させる効果がある。
【００３１】
ここで、音の発生源に対し反射性の壁が平行に向かい合っていると、音が向かいあった壁面を往復反射し、フラッターエコーが生じてしまう。フラッターエコーとは、音が二重、三重に聞こえてしまう有害な反響である。陶磁は、音をよく反射させる素材であるため、本体１は、平行に向かい合う面が生じないよう、中空半球形状、換言すると、ドーム形状となっている。そのため、ドーム内では、フラッターエコーは生じず、音が偏った反響をせず、均一でバランスのとれた反響を得ることができる。
【００３２】
したがって、本実施形態１の携帯情報端末の音改良器によれば、中空半球形状の本体１の内部に、携帯情報端末Ｓを載置することにより、携帯情報端末Ｓから発生する再生音を、均一でバランスよく反響させ、明瞭で、豊かな美しい音声とすることができる。
【００３３】
次に、図６を示しながら、本考案の携帯情報端末の音改良器１００の使用方法について説明する。
【００３４】
まず、携帯情報端末の音改良器１００を、机の上や床の上等、凹凸がなくフラットな面に載置する。そして、本体１の内部に、携帯情報端末Ｓを差し入れて、内台１１の前方の低い部分に携帯情報端末Ｓの底面が接するように置き、携帯情報端末Ｓの上側が立て掛け部１２の凹みにはまるように、携帯情報端末Ｓの画面が正面を向くように携帯情報端末Ｓを立て掛ける。
【００３５】
携帯情報端末Ｓを立て掛けた後、画面を指で操作し、動画を再生したり、音楽を再生する。携帯情報端末Ｓのスピーカーは、機種によって携帯情報端末Ｓの底面にあったり、裏面にあったり、底面と裏面の両方にあったりするが、裏面や底面のスピーカーから出た再生音は、本体１の内側の壁面に反射して増幅され、豊かな音となって共鳴する。本体１の開口部が前方斜め上方を向くよう、傾けた形状で固定されていることにより、携帯情報端末Ｓからの再生音が、本体１の内側を反響し共鳴して豊かな響きとなり、前方ななめ上方に向かって広がる。
【００３６】
したがって、以上の構成によると、電気供給がなくても、携帯情報端末Ｓから発生する再生音を豊かな音質に改良できる携帯情報端末の音改良器を提供することができる。
【００３７】
本実施の形態では、携帯情報端末を固定するために、本体側面を略長方形状に切り取った立て掛け部１１や、本体内側底部に携帯情報端末を置くための内台１２を設けたが、携帯情報端末を本体１の中に固定する方法は、これに限られるものではなく、例えば、本体１の内側の中ほどに、携帯情報端末を立て掛けておけるような、突起や棒状物その他の固定具を設けて、携帯情報端末を固定具に立て掛けて固定するようにしても良い。また、本体１と一体化した固定具を用いるのではなく、ゴム製その他の固定具を、本体１の外縁に被せられるようなキャップ形状の装着具とともに本体１に装着して、携帯情報端末を固定できるようにしても良い。
【００３８】
本実施の形態では、携帯情報端末の音改良器１００の素材として、１３００度の比較的高温で焼成した陶磁器を用いる例を説明したが、これに限らず、硬く吸水性がない素材であれば良い。例えば、ガラスを用いてもよいし、薄い金属製としても良い。
【００３９】
本実施の形態では、携帯情報端末を縦にして、画面を正面に向けた状態で、本体１に固定できる固定具を設けた構成としたが、携帯情報端末を横にして、画面を正面に向けた状態で本体１に固定できる固定具を設けても良い。動画再生時は、画面を横にして視聴することが多いので、そのような場合に便利である。
【００４０】
本実体の形態では、携帯情報端末の音改良器はスマートフォンを載置して使用するのに最適な大きさのものを説明したが、本体１の寸法を大きくして、タブレット型携帯情報端末を載置して使用できる大きさとしても良い。また、本体内に、固定具を複数設けて、タブレット型にもスマートフォンにも使用できるようにしても良い。
【符号の説明】
【００４１】
１００  スマホスピーカー
１  本体
１１  立て掛け部
１２  内台
２  台座
Ｓ  スマートフォン
【図１】
0003189889.tif 000003
【図２】
0003189889.tif 000004
【図３】
0003189889.tif 000005
【図４】
0003189889.tif 000006
【図５】
0003189889.tif 000007
【図６】
0003189889.tif 000008